(57)【要約】【課題】少ない本数のローラで、水着けローラへの湿し水の過剰な供給を防止するとともに、水着けローラの表面に形成される水膜の厚さを均一化することができるオフセット印刷機の湿し装置を提供する。【解決手段】湿し水１を溜める水タンク２と、水タンク２内で回転する水元ローラ３と、版胴２２に巻きつけられた版２３に接して回転する水着けローラ５と、水元ローラ３と水着けローラ５の両方に接触する状態で回転して水元ローラ３に付着した湿し水を水着けローラ５に移す水移しローラ４とを備えるオフセット印刷機の湿し装置において、水移しローラ４を軸方向に往復運動させる往復運動機構と、水元ローラ３をそのローラ軸と平行な軸心を中心に揺動させて水移しローラ４と接離させる水元ローラ揺動機構を設ける。【選択図】図１
2006231541.tif 000002
【特許請求の範囲】
【請求項１】
湿し水を溜める水タンクと、その水タンク内で回転する水元ローラと、版胴に巻きつけられた版に接して回転する水着けローラと、前記水元ローラと前記水着けローラの両方に接触する状態で回転して水元ローラに付着した湿し水を水着けローラに移す水移しローラとを備えるオフセット印刷機の湿し装置において、前記水移しローラを軸方向に往復運動させる往復運動機構と、前記水元ローラをそのローラ軸と平行な軸心を中心に揺動させて前記水移しローラと接離させる水元ローラ揺動機構とを設けたオフセット印刷機の湿し装置。
【発明の詳細な説明】
【技術分野】
【０００１】
この発明は、オフセット印刷機の版に湿し水を供給する湿し装置に関する。
【背景技術】
【０００２】
オフセット印刷機の湿し装置として、水タンク内の湿し水に浸かる水元ローラと、版胴に巻きつけられた版に接する水着けローラと、水元ローラから水着けローラに湿し水を移す水移しローラとを備え、水移しローラを水元ローラのローラ軸を中心として揺動可能なフレーム等の部品で支持し、その部品の揺動により水移しローラを水着けローラに対して接触、離反させ、その接触、離反によって湿し水の過剰な供給を防止するようにしたものが知られている。
【０００３】
しかし、この湿し装置においては、水着けローラに対して水移しローラが接触、離反するので、水着けローラの表面に形成される水膜の厚さが不均一になりやすい。
【０００４】
そこで特許文献１に記載された湿し装置においては、水着けローラに対して、更に横振りローラを接触させ、この横振りローラの軸方向への往復運動によって水着けローラの表面の水膜の厚さを均一化するようにしている。
【０００５】
ところが、この湿し装置は、水元ローラ、水移しローラ、水着けローラ、横振りローラの少なくとも４本のロールを必要とするので、装置が大きくなり、狭い場所への設置が難しかった。また、装置の製造コストがかさみ、不経済であった。
【０００６】
このような不都合は、水元ローラ、水移しローラ、水着けローラからなる３本ロールの湿し装置の水移しローラを軸方向に往復運動させることによって解消することができるが、この湿し装置は、水移しローラを揺動させて水着けローラに接離させる構成であるため、水移しローラを軸方向に移動させることができない。
【０００７】
【特許文献１】特開平１１−９９６１５号公報
【発明の開示】
【発明が解決しようとする課題】
【０００８】
この発明が解決しようとする課題は、少ない本数のローラで、水着けローラへの湿し水の過剰な供給を防止するとともに、水着けローラの表面に形成される水膜の厚さを均一化することができるオフセット印刷機の湿し装置を提供することである。
【課題を解決するための手段】
【０００９】
上記の課題を解決するために、湿し水を溜める水タンクと、その水タンク内で回転する水元ローラと、版胴に巻きつけられた版に接して回転する水着けローラと、前記水元ローラと前記水着けローラの両方に接触する状態で回転して水元ローラに付着した湿し水を水着けローラに移す水移しローラとを備えるオフセット印刷機の湿し装置において、前記水移しローラを軸方向に往復運動させる往復運動機構と、前記水元ローラをそのローラ軸と平行な軸心を中心に揺動させて前記水移しローラと接離させる水元ローラ揺動機構とを設けた。
【発明の効果】
【００１０】
水元ローラを揺動させて水移しローラと接離させるようにしたので、水着けローラへの湿し水の過剰な供給を防止することができるとともに、往復運動機構で水移しローラを軸方向に往復運動させて水着けローラの表面の水膜の厚さを均一化することができる。したがって、水着けローラへの湿し水の過剰な供給の防止と、水着けローラの表面に形成される水膜の厚さの均一化とを３本のローラで行なうことが可能である。
【発明を実施するための最良の形態】
【００１１】
図１に、この発明の湿し装置の実施形態を示す。この湿し装置は、オフセット印刷機の版に湿し水を供給する装置であり、湿し水１を溜める水タンク２と水元ローラ３と水移しローラ４と水着けローラ５とを有する。
【００１２】
水元ローラ３は水タンク２内に配置されて、外周下部が湿し水１に浸漬されている。水元ローラ３の端部には、図２に示すようにギア６が固定されており、そのギア６に、モータ７の回転軸７ａに固定されたギア８が噛み合っている。上記モータ７の駆動により、水元ローラ３は図１の矢印で示す方向に回転する。
【００１３】
水元ローラ３は、図１に示すように揺動フレーム９に支持されている。揺動フレーム９は、揺動カム１０の回動によってモータ７の回転軸７ａを中心として揺動し、この揺動により水元ローラ３を水移しローラ４に対して接触、離反させて、湿し水１の供給またはその停止が可能となっている。図では、揺動フレーム９に取り付けられたローラ１１に揺動カム１０を接触させて揺動フレーム９を揺動させている。
【００１４】
水移しローラ４は、水元ローラ３と水着けローラ５の両方に接しており、水元ローラ３に付着した湿し水を水着けローラ５に移すようになっている。この水移しローラ４は、図３に示すように、ローラ外筒１２とローラ軸１３からなる。
【００１５】
ローラ外筒１２は、ローラ軸１３に対して軸方向に一体となって移動し、かつローラ軸１３に対して相対回転可能に支持されている。ローラ外筒１２の端部にはギア１４が固定されており、水元ローラ３のギア６がギア１４と噛み合ってローラ外筒１２を回転させる。
【００１６】
一方、ローラ軸１３は、図２に示すように、本体フレーム１５に対して軸方向に移動可能かつ回転可能に支持されている。ローラ軸１３の端部１３Ａにはギア１６が固定されており、このギア１６に後述する版胴２２の回転が伝達される。さらにローラ軸１３の他の端部１３Ｂにはギア１７が固定されており、このギア１７が水着けローラ５の端部に固定されたギア１８と噛み合って水着けローラ５を回転させる。
【００１７】
また、ローラ軸１３の端部１３Ａには周方向に連続する案内溝１９が形成されており、この案内溝１９に案内ローラ２０が挿入されて転がり接触している。案内ローラ２０は、案内レバー２１の一端に取り付けられており、案内レバー２１を揺動させることによってローラ軸１３を軸方向に往復運動させて、その往復運動により水着けローラ５の表面の水膜の厚さを均一化することができるようになっている。
【００１８】
水着けローラ５は、図１に示すように版胴２２に巻き付けられた版２３に接しており、水着けローラ５の表面の湿し水を版２３に付着させるようになっている。
【００１９】
この湿し装置は、水元ローラ３を揺動させて水移しローラ４から離反させることにより水着けローラ５への湿し水の過剰な供給を防止するとともに、水移しローラ４を軸方向に往復運動させて水着けローラ５の表面に形成される水膜の厚さを均一化することができる。しかも、この湿し装置は、水元ローラ３、水移しローラ４、水着けローラ５からなる３本ロール構成なので装置が小さくて済み、狭い場所への設置が容易である。また、装置の製造コストも低く抑えることができ、経済的である。
【００２０】
水移しローラ４は、たとえば水移しローラ４の端部に、軸方向の位置を変化させながら周方向に連続するカム溝を形成し、軸方向の位置を固定した案内ローラをそのカム溝に接触させて軸方向に往復運動させるようにしてもよく、他の機構で軸方向に往復運動させてもよい。
【００２１】
また、上記実施形態においては、揺動フレーム９を水元ローラ３と平行なモータ７の回転軸７ａを中心として揺動させたが、たとえばモータ７の回転軸７ａ以外の水元ローラ３と平行な軸を中心として揺動フレーム９を揺動させるようにしてもよく、水元ローラ３は、水元ローラ３のローラ軸と平行な軸心を中心に他の機構で揺動させて水移しローラ４に対して接触、離反させてもよい。
【図面の簡単な説明】
【００２２】
【図１】この発明の湿し装置のローラの配置を示す図
【図２】同上の装置の構造を示す図
【図３】同上の装置の水移しローラの断面図
【符号の説明】
【００２３】
１      湿し水
２      水タンク
３      水元ローラ
４      水移しローラ
５      水着けローラ
９      揺動フレーム
１０    揺動カム
１９    案内溝
２０    案内ローラ
２１    案内レバー
２２    版胴
２３    版
【図１】
2006231541.tif 000003
【図２】
2006231541.tif 000004
【図３】
2006231541.tif 000005